(57)【要約】【課題】バインドレス碍子同士の接触・衝突を防止し、碍子取付金具の線状の部分の開きを防止すると共に、縁線について寸法の長大化や大きく湾曲させる必要性を抑制するためにエントランスキャップ等の被支持体側の部材とバインドレス碍子との距離を相対的に長くすることが可能な碍子装置を提供する。【解決手段】碍子取付金具９は、線状部材１２の延出部位１２ａと延出部位１２ｂとを絡ませると共に、線状部材１２のフック１０、１１から湾曲部位１２ｃまでの寸法を相対的に長くする。バインドレス碍子１は、貫通孔９がブロック体２の長手方向の中央部位よりも一方端側に寄って形成されていると共に、貫通孔９の一方端に近い側の内側面と一方端から遠い側の内側面との双方について、線状部材１２の湾曲部位１２ｃの内周側面の曲率と略同じ曲率にて相互に近接する曲面とする。【選択図】図３
2011091928.tif 000002
【特許請求の範囲】
【請求項１】
被支持体に取り付けるためのもので、相互に隣接して配置された２つのフック及び、前記フックのうち一方のフックから離れる方向に延びた後、他方のフックに向かって戻る方向に延びることにより、前記フック同士を連結する１つの線状部材を有する碍子取付金具と、
電線を巻き付けるためのもので、前記碍子取付金具の線状部材が挿通される貫通孔及び前記電線が巻き付けられる突起部を有するバインドレス碍子と、
から成る碍子装置であって、
前記碍子取付金具は、前記線状部材の一方のフックから離れる方向に延びる延出部位と前記線状部材の他方のフックに向かって戻る方向に延びる延出部位とを捩じり絡ませていると共に、
前記線状部材の一方の延出部位のフック側とは反対端と前記線状部材の他方の延出部位のフック側とは反対端とを連結する湾曲部位を有し、
前記碍子取付金具の湾曲部位から前記フック側端までの寸法を、前記バインドレス碍子の全長よりも大きくなると共に前記被支持体から前記バインドレス碍子の突起部のうち最も前記被支持体に近い突起部までの距離を確保することが可能なように相対的に長くしたことを特徴とする碍子装置。
【請求項２】
前記バインドレス碍子は、前記貫通孔が前記碍子取付金具の略軸方向に沿った方向の中央部位よりも一方端側に寄って形成されていると共に、
前記貫通孔の前記一方端に近い側の内側面と前記貫通孔の前記一方端から遠い側の内側面との双方について、前記線状部材の湾曲部位の内周側面の曲率と略同じ曲率の円弧状の線を描いた場合に少なくとも前記貫通孔の開口縁がこの円弧状の線に接するようにしつつ相互に近接する曲面となるように形成し、
更に前記貫通孔に近い側端とは反対側端において前記貫通孔の開口を有する両方の面に前記碍子取付金具の線状部材を径方向から装着可能な溝部を形成したことを特徴とする請求項１に記載の碍子装置。  
【発明の詳細な説明】
【技術分野】
【０００１】
この発明は、腕金等の所定の被支持体に取り付けられる碍子取付金具と電線を所定の方法で巻き付けることが可能なバインドレス碍子とから成り、これらの取付金具及びバインドレス碍子を改良した碍子装置に関する。
【背景技術】
【０００２】
電柱から家屋まで引込線を架設する場合には、例えば特許文献１に示されるように、低圧線から分岐スリーブにより低圧引下線を分岐し、この低圧引下線を電柱に設置された引込専用腕金まで引き下ろし、この引込専用腕金の取付金具にバインドレス碍子取付金具を介してバインドレス碍子を取り付け、このバインドレス碍子に低圧引下線を所定の方法で巻き付けることを行ってきた。
【０００３】
そして、屋内配線と引込線とを接続する場合にも、例えば特許文献２に示されるように、家屋の外面に取り付けられたリングスクリュー等の引込用取付金具にバインドレス碍子を取り付け、このバインドレス碍子に引込線を所定の方法で巻き付けることを行ってきた。
【０００４】
また、電柱上で高圧引下用絶縁電線（引下側、引上側）と高圧引下用絶縁電線（縁線側）とを連結する場合には、例えば特許文献３に示されるように、電柱に取り付けた腕金に高圧引下線支持金物を使用してバインドレス碍子取付金具を引き掛け、このバインドレス碍子取付金具を高圧引下用バインドレス碍子の貫通孔に挿通させ、高圧引下用バインドレス碍子の引留用突起部に高圧引下用絶縁電線（引下側、引上側）及び高圧引下用絶縁電線（縁線側）を所定の方法で巻き付けることを行ってきた。
【０００５】
一方で、例えば特許文献４及び特許文献５に示されるように、引込線と屋内配線とを接続するにあたって、家屋の外面にエントランスキャップを設け、このエントランスキャップの孔に引込線を挿入する場合がある。
【先行技術文献】
【特許文献】
【０００６】
【特許文献１】特開２００９−７１９６５号公報
【特許文献２】特開２００７−１１６８４１号公報
【特許文献３】特開２００４−９５３０５号公報
【特許文献４】特開２００４−１２９３２６号公報
【特許文献５】特開２００７−２８８０１号公報
【発明の概要】
【発明が解決しようとする課題】
【０００７】
バインドレス碍子を例えば特許文献１の引込専用腕金、特許文献２の引込用取付金具、又は特許文献３の高圧引下線支持金物に複数取り付けた場合には、バインドレス碍子が密集することとなるが、バインドレス碍子は絶縁性の担保のため磁器製であることが多いので、バインドレス碍子同士が接触、衝突してバインドレス碍子が破損するおそれがある。そして、バインドレス碍子が破損した場合には、バインドレス碍子の交換作業が必要となり作業の煩雑化を招くと共に、バインドレス碍子の破損で生じた破片が落下し、その下方を通過する人等に対し危害を与えるおそれもある。
【０００８】
また、バインドレス碍子取付金具は、特許文献１の図２及び図１１並びに特許文献２の図７に示されるように、互い違いの方向に円弧状に湾曲させた形状のフックを先端に有する線状の部材を略アラビア数字の８字状若しくは無限を表すメビウスの環状に交差させた形状となっているが、線状の部材が交差する部位及びフック同士は接合されていないので線状の部材がその径方向において相互に離隔した状態（開いた状態）となることがある。バインドレス碍子取付金具がこのような開いた状態になると、特許文献１の引込専用腕金、特許文献２の引込用取付金具、又は特許文献３の高圧引下線支持金物からバインドレス碍子取付金具のフックが外れるという不具合を生ずる。
【０００９】
そして、例えば特許文献５に示されるように、家屋の外面に設けられた取付金具にバインドレス碍子取付金具を介してバインドレス碍子を取り付けた場合に、取付金具とバインドレス碍子との間隔が相対的に短いと、例えばエントランスキャップ等の一方端側とバインドレス碍子との間に位置する引込線の部分（縁線）をレイアウトする範囲が窮屈となって縁線を湾曲させる部分の長さ及び曲率を相対的に大きく採る必要が生ずる。特に、縁線が太線の場合には、このように縁線を湾曲させるための曲率を大きく採ることが困難であるという不具合もあった。
【００１０】
そこで、本発明は、バインドレス碍子同士の接触・衝突を防止し、碍子取付金具の線状部材の開きを防止すると共に、縁線について湾曲部分の寸法の長大化や大きく湾曲させる必要性を抑制するためにエントランスキャップ等の被支持体側の部材とバインドレス碍子との距離を相対的に長くすることが可能な碍子装置を提供することを目的とする。
【課題を解決するための手段】
【００１１】
この発明に係る碍子装置は、被支持体に取り付けるためのもので、相互に隣接して配置された２つのフック及び、前記フックのうち一方のフックから離れる方向に延びた後、他方のフックに向かって戻る方向に延びることにより、前記フック同士を連結する１つの線状部材を有する碍子取付金具と、電線を巻き付けるためのもので、前記碍子取付金具の線状部材が挿通される貫通孔及び前記電線が巻き付けられる突起部を有するバインドレス碍子と、から成る碍子装置であって、前記碍子取付金具は、前記線状部材の一方のフックから離れる方向に延びる延出部位と前記線状部材の他方のフックに向かって戻る方向に延びる延出部位とを捩じり絡ませていると共に、前記線状部材の一方の延出部位のフック側とは反対端と前記線状部材の他方の延出部位のフック側とは反対端とを連結する湾曲部位を有し、前記碍子取付金具の湾曲部位から前記フック側端までの寸法を、前記バインドレス碍子の全長よりも大きくなると共に前記被支持体から前記バインドレス碍子の突起部のうち最も前記被支持体に近い突起部までの距離を確保することが可能なように相対的に長くしたことを特徴としている（請求項１）。碍子取付金具の２つのフックは互い違いの方向に円弧状に湾曲させた形状となっている。
【００１２】
これにより、碍子取付金具は、線状部材の一方のフックから離れる方向に延びる部位と線状部材の他方のフックに向かって戻る方向に延びる部位とを捩じり絡ませているので、線状部材の一方のフックから離れる方向に延びる部位と他方のフックに向かって戻る方向に延びる部位とが接合されていない従来の碍子取付金具とは異なり、双方のフックが開くことが回避される。また、碍子取付金具は、湾曲部位から前記フック側端までの寸法を、前記被支持体から前記バインドレス碍子の最も前記支持体側の突起部までの距離を確保することが可能なように相対的に長くしたので、電線の被支持体とバインドレス碍子との間の寸法を長くする必要がなくなると共に電線をレイアトする範囲が狭くなることもなくなるため電線の湾曲部分の長さや曲率も相対的に小さくすることができる。
【００１３】
そして、この発明に係る碍子装置において、前記バインドレス碍子は、前記貫通孔が前記碍子取付金具の略軸方向に沿った方向の中央部位よりも一方端側に寄って形成されていると共に、前記貫通孔の前記一方端に近い側の内側面と前記貫通孔の前記一方端から遠い側の内側面との双方について、前記線状部材の湾曲部位の内周側面の曲率と略同じ曲率の円弧状の線を描いた場合に少なくとも前記貫通孔の開口縁がこの円弧状の線に接するようにしつつ相互に近接する曲面となるように形成し、更に前記貫通孔に近い側端とは反対側端において前記貫通孔の開口を有する両方の面に前記碍子取付金具の線状部材を径方向から装着可能な溝部を形成したことを特徴としている（請求項２）。
【００１４】
これにより、同じ寸法の碍子取付金具をバインドレス碍子の貫通孔に挿通させる場合でも、バインドレス碍子に対し貫通孔に近い側端に向けて延出させた場合とバインドレス碍子に対し貫通孔から遠い側端に向けて延出させた場合とでバインドレス碍子からフックまでの寸法を可変することが可能となる。このため、同じ被支持体から隣り合って配置されるバインドレス碍子について、一方は碍子取付金具をバインドレス碍子に対し貫通孔に近い側端に向けて延出させ、他方は碍子取付金具をバインドレス碍子に対し貫通孔から遠い側端に向けて延出させることにより、これらのバインドレス碍子の位置が当該バインドレス碍子の長手方向に沿って相互にずれるので、バインドレス碍子が風等で揺れても、バインドレス碍子同士が接触・衝突することがなくなる。
【発明の効果】
【００１５】
以上のように、この発明によれば、碍子取付金具について、線状部材の一方のフックから離れる方向に延びる部位と線状部材の他方のフックに向かって戻る方向に延びる部位とを捩じり絡ませることにより双方のフックが開くことが回避されるので、碍子取付金具ひいては碍子装置が被支持体から外れるのを防止することが可能となる。
【００１６】
特に請求項２に記載の発明によれば、同じ寸法の碍子取付金具をバインドレス碍子の貫通孔に挿通させる場合でも、バインドレス碍子に対し貫通孔に近い側端に向けて延出させた場合とバインドレス碍子に対し貫通孔から遠い側端に向けて延出させた場合とでバインドレス碍子からフックまでの寸法を可変することが可能である。これに伴い、同じ被支持体から隣り合って配置されるバインドレス碍子について、一方は碍子取付金具をバインドレス碍子に対し貫通孔に近い側端に向けて延出させ、他方は碍子取付金具をバインドレス碍子に対し貫通孔から遠い側端に向けて延出させることにより、これらのバインドレス碍子の位置が当該バインドレス碍子の長手方向に沿って相互にずらすことができる。このため、バインドレス碍子が風等で揺れても、バインドレス碍子同士が接触・衝突することを回避することが可能となるので、バインドレス碍子同士の接触・衝突による破損をなくし、バインドレス碍子の交換作業の煩雑化やバインドレス碍子の破損落下による通行人等に対する危害の発生を防止することができる。
【図面の簡単な説明】
【００１７】
【図１】図１は、碍子装置を構成するバインドレス碍子の説明図であり、図１（ａ）はこのバインドレス碍子の平面図、図１（ｂ）はこのバインドレス碍子の溝部を有する側における側面図、図１（ｃ）はこのバインドレス碍子の正面図、図１（ｄ）は貫通孔の内周面の構造を示す部分断面図である。
【図２】図２は、碍子装置を構成する碍子取付金具の説明図であり、図２（ａ）はこの碍子取付金具の平面図、図２（ｂ）はこの碍子取付金具の正面図である。
【図３】図３は、被支持体に複数の碍子装置の碍子取付金具を装着する際に、いずれもこの発明に係る碍子取付金具を用いつつバインドレス碍子の位置が碍子取付金具の長手方向にずれるように装着することが可能であることを示す説明図である。
【図４】図４は、電柱から家屋に向けて引込線が碍子装置を介して架設された状態を示す概略図である。
【図５】図５は、電柱の腕金の金具に複数の碍子装置の碍子取付金具が装着された状態を示す概略図である。
【図６】図６は、被支持体に複数の碍子装置の碍子取付金具を装着する際に、従来の碍子取付金具を用いた碍子装置が既に設置されている場合でも、この発明に係る碍子取付金具を用いてバインドレス碍子の位置が既に設置されたバインドレス碍子に対し碍子取付金具の長手方向にずれるように装着することが可能であることを示す説明図である。
【図７】図７は、太径の縁線が巻き付けられるバインドレス碍子を用いる碍子装置において、この発明に係る碍子取付金具の長手方向の寸法を従来の碍子取付金具よりも相対的に長くしたことを示す説明図である。
【図８】図８は、電柱上で高圧引下用絶縁電線（引下側、引上側）と高圧引下用絶縁電線（縁線側）とを連結する場合にもこの発明に係る碍子装置を用いることが可能であることを示すための概略図である。
【発明を実施するための形態】
【００１８】
以下、この発明の実施形態の一例を図面に基づいて説明する。
【００１９】
図１及び図２において、この発明に係る碍子装置を構成するバインドレス碍子１と碍子取付金具９との一例が示されている。
【００２０】
このうち、バインドレス碍子１は、絶縁性を有する素材、例えば磁器、セラミックス等により形成されているもので、図１に示されるように、略直方体状のブロック体２を有して構成されている。このブロック体２は、当該ブロック体２の長手方向に沿って延びると共に相互に対峙する側面２Ａ、２Ｂと、この側面２Ａ、２Ｂの長手方向に沿った縁辺と連接するものでブロック体２の長手方向に沿って延びると共に相互に対峙する側面２Ｃ、２Ｄと、ブロック体２の長手方向の両側に位置して相互に対峙する側面２Ｅ、２Ｆとを有している。
【００２１】
また、バインドレス碍子１のブロック体２の側面２Ａ、２Ｂには、図３で示される電線１７を巻き付けるための突起部３がその長手方向に沿って２つずつ形成されている。各突起部３は、略円盤状の頭部３ａ及び、この頭部３ａと側面２Ａ又は２Ｂとを連結するためのもので、図１（ｂ）に示されるように後述する貫通孔６の径方向から見た場合に頭部３よりも外形状が小さな柱部３ｂから構成されている。
【００２２】
更に、バインドレス碍子１の側面２Ｂには、突起部３、３の間となる位置に、電線１７をバインドレス碍子１に巻き付けるときにこの電線１７を交叉させるために通す窪み部４が形成されている。この窪み部４は、図１（ｃ）に示されるように、側面２Ｃ側から側面２Ｃと側面２Ｄとの中央部位にかけて内幅が徐々に狭まった後、その中央部位から側面２Ｄにかけては徐々に内幅が拡がるように形成されている。これにより、窪み部４の両側の周縁部位５は、側面２Ｂ側から見て相互に近接する方向に延びると共に窪み部４の面から略三角形状に隆起した形態を備えている。
【００２３】
更にまた、バインドレス碍子１は、図１（ａ）、図１（ｃ）、図１（ｄ）に示されるように、ブロック体２の側面２Ｃから側面２Ｄにかけて貫通した貫通孔６を有している。但し、貫通孔６の構成についての詳細な説明は後で行う。
【００２４】
これに対し、碍子取付金具９は、図２に示されるように、２つのフック１０、１１と、フック１０、１１のうちフック１０から離れる方向に延びた後、フック１１に向かって戻る方向に延びることにより、フック１０、１１同士を連結する１本の条状の線状部材１２とで基本的に構成されている。
【００２５】
そして、線状部材１２は、フック１０から離れる方向に直接状に延びる延出部位１２ａと、フック１１に向かって戻る方向に直接状に延びる延出部位１２ｂと、これらの延出部位１２ａ、１２ｂのフック１０、１１とは反対側端と連結した略半円の円弧状の湾曲部位１２ｃとで形成されている。また、フック１０とフック１１とは、双方とも半円状の円弧状に湾曲させた形状を成す一方で、その湾曲させる方向は互い違いとなるように真反対となっていると共に、延出部位１２ａ，１１ｂの並列方向と交差する方向にて重なっている。更に、湾曲部位１２ｃは、内側周面が図２（ａ）に示されるように、例えは中心点Ｐ１から半径Ｌ１の寸法の円の軌道と沿うかたちになっている。尚、フック１０、１１の有する半円の円弧状に湾曲した部分の半径の数値は、湾曲部位１２ｃの前記半径Ｌ１の数値よりも小さくなっている。
【００２６】
ところで、バインドレス碍子１の貫通孔６は、碍子取付金具９若しくは碍子取付金具１９の後述する湾曲部位１２ｃを挿通させるためのもので、図１（ａ）に示されるように、ブロック体２の長手方向に沿った方向の中央部位よりも一方の端部側（この実施例では側面２Ｅ側）に寄った位置に形成されている。
【００２７】
また、バインドレス碍子１の貫通孔６は、図１（ａ）に示されるようにブロック体２の側面２Ｃ、２Ｄの長手方向に沿った寸法が側面２Ｃ、２Ｄの短手方向に沿った寸法よりも長い長孔であると共に、その側面２Ｅ側の内側面と側面２Ｆ側の内側面とは、図２（ｃ）及び図２（ｄ）に示されるように、貫通孔６の開口側が広く、中央側が狭くなるように、相互に近接する曲面の形状をなしている。そして、貫通孔６の内側面の曲面の曲率は、双方とも、図１（ｄ）に示されるように、Ｐ２、Ｐ３を中心点とした半径Ｌ１の円弧状の線を描いた際に、少なくともこの円弧状の線とは貫通孔６の開口縁の両側端にて接することができるものとなっている。尚、貫通孔６の湾曲した内側面の曲率は、Ｐ２、Ｐ３を中心点とした半径Ｌ１の円弧状の線と全範囲において一致したものとしても良い。
【００２８】
更に、バインドレス碍子１のブロック体２の側面２Ｃ、２Ｄは、貫通孔６に対し相対的に遠い側となる側面２Ｆ側の端部近傍において、溝部７が形成されている。この溝部７は、この側面２Ｆ側端からブロック体２の長手方向に沿った方向の中央側に向けて直接状に延びていると共にブロック体２の長手方向の中央側から側面２Ｆ側に向かうにつれてその深度が徐々に大きくなるように傾斜している。この溝部７の傾斜角度は、碍子取付金具９の延出部位１２ａ、１２ｂのうち湾曲部位１２ｃとの連結側端から後述する捩じり絡ませ部位１２ｄまでの相互に近接する部位の傾斜角度と略一致している。
【００２９】
以上のバインドレス碍子１の構成によれば、貫通孔６に碍子取付金具９の湾曲部位１２ｃが挿通された際に、湾曲部位１２ｃの開いた側がブロック体２の側面２Ｅ側、２Ｆ側のいずれを向いている場合でも、貫通孔６の内側面に湾曲部位１２ｃの内側周面が接することができるので、碍子取付金具９をバインドレス碍子１にガタツキなく確実に装着させることができる。しかも、碍子取付金具９の湾曲部位１２ｃの内側周面が貫通孔６の側面２Ｆ側の内側面と接するかたちとした場合として、碍子取付金具９の延出部位１２ａ、１１ｂ間の間隔がフック１０、１１側に向けて暫時狭まっていっても、延出部位１２ａ、１１ｂは、ブロック体２の溝部７内に装着されるので、碍子取付金具９の延出部位１２ａ、１１ｂがブロック体２の側面２Ａ、２Ｂに接することで屈曲したりすることがなく、むしろより強固に碍子取付金具９をバインドレス碍子１にガタツキなく装着させることができる。
【００３０】
そして、ブロック体２に設けた貫通孔６の位置がこのブロック体２の長手方向の中央部位よりも側面２Ｅ側に寄っているので、図３に示されるように、フック１０、１１から湾曲部位１２ｃまでの寸法が同じ碍子取付金具９について、フック１０、１１を被支持体１４に引き掛けつつ、一方の碍子取付金具９の湾曲部位１２ｃをバインドレス碍子１に対し貫通孔６の側面２Ｆ側の内側面と接するように貫通孔６に挿通させた状態（図３（ａ）の状態）とすると共に、他方の碍子取付金具９の湾曲部位１２ｃをバインドレス碍子１に対し貫通孔６の側面２Ｅ側の内側面と接するように貫通孔６に挿通させた状態（図３（ｂ）の状態）とした場合には、バインドレス碍子１の突起部３の位置が以下のようになる。すなわち、被支持体１４の位置を基点Ｘ１、バインドレス碍子１のＸ１に近い突起部３の中心部位の位置をＸ２、バインドレス碍子１の基点Ｘ１から遠い突起部３の中心部位の位置をＸ３として採ったときに、図３（ａ）に示されるバインドレス碍子１のＸ２、Ｘ３の位置と図３（ｂ）に示されるバインドレス碍子１のＸ２、Ｘ３の位置とにバインドレス碍子１のブロック体２の長手方向に沿ってずれを生ずる。
【００３１】
よって、図４に示されるように、この発明によれば、例えば、電柱１６に架設された電線１７の低圧線１７ａから低圧引下線１８が分岐され、この低圧引下線１８が低圧線分岐カバー１３を介して引込専用腕金２０の取付金具２４（被支持体１４に相当する。）まで引き下げられ、更に、低圧引下線１８は図示しない引込分岐端子箱により複数の引込線２１に分岐された構成とすると共に、各引込線２１がバインドレス碍子１と碍子取付金具９とから成る碍子装置にて家屋２２に支持される態様においてバインドレス碍子１を複数使用する場合でも図５に示されるように対応させることができる。
【００３２】
より詳述すると、一方のバインドレス碍子１（図５の奥側）については、引込専用腕金２０側に貫通孔６が相対的に近づくような向きにし、貫通孔６に碍子取付金具９の湾曲部位１２ｃを挿通させると共に引込専用腕金２０の取付金具２４に碍子取付金具９のフック１０、１１を引き掛け、一方のバインドレス碍子１（図５の手前側）については、引込専用腕金２０側に貫通孔６が相対的に遠くなるような向きにし、貫通孔６に碍子取付金具９の湾曲部位１２ｃを挿通させると共に引込専用腕金２０の取付金具２４に碍子取付金具９のフック１０、１１を引き掛けることで、２つのバインドレス碍子１が隣合っても両者の突起部３はバインドレス碍子１のブロック体２の長手方向に沿ってずれた状態となるから、バインドレス碍子１が風等でブロック体２の短手方向に揺れてもバインドレス碍子１の突起部３同士が接触・衝突することがない。しかるに、バインドレス碍子１の突起部３が破損するおそれもなくなる。
【００３３】
また、碍子取付金具９は、図２及び図６に示されるように、従来の碍子取付金具１９に比しフック１０、１１から湾曲部位１２ｃまでの寸法が相対的に長くなっていると共に、従来の碍子取付金具１９とは異なり、延出部位１２ａと延出部位１２ｂとは、その湾曲部位１２ｃよりもフック１０、１１側に近い部位を捩じることで、捩じり絡ませ部位１２ｄを有した構成となっている。すなわち、この碍子取付金具９の全長は例えば２６２ｃｍであり、フック１０、１１の円弧の中心点から捩じり絡ませ部位１２ｄまでの寸法と捩じり絡ませ部位１２ｄから湾曲部位１２ｃの円弧の中心点までの寸法との比率は、およそ１：４．５となっている。これに対し、従来の、全長が約１６０ｃｍ、約１７０ｃｍの碍子取付金具１９におけるフック１０、１１の円弧の中心点から延出部位１２ａ、１２ｂの交叉部位までの寸法と延出部位１２ａ、１２ｂの交叉部位から湾曲部位１２ｃの円弧の中心点までの寸法との比率がおよそ１：１．８から１：２であるので、比率の差が大きくなっている。尚、捩じり絡ませ部位１２ｄは、延出部位１２ａと延出部位１２ｂとが確実に交差するように延出部位１２ａと延出部位１２ｂとを複数回にわたって絡ませて形成することが好適である。
【００３４】
これに伴い、図６に示されるように、同じバインドレス碍子１に対し、一方では、碍子取付金具９について、フック１０、１１を被支持体１４に引き掛けつつ湾曲部位１２ｃをバインドレス碍子１の貫通孔６に挿通させた状態（図６（ａ）の状態）とすると共に、他方では、碍子取付金具１９について、フック１０、１１を被支持体１４に引き掛けつつ湾曲部位１２ｃをバインドレス碍子１の貫通孔６に挿通させた状態（図６（ｂ）の状態）とした場合には、両バインドレス碍子１の側面２Ｅ側端及び側面２Ｆ側端の位置が以下のようになる。すなわち、被支持体１４の位置を基点Ｘ１、バインドレス碍子１の側面２Ｅ側端の位置をＸ４、バインドレス碍子１の側面２Ｆ側端の位置をＸ５として採ったときに、図６（ａ）に示されるバインドレス碍子１のＸ４、Ｘ５の位置と図６（ｂ）に示されるバインドレス碍子１のＸ４、Ｘ５の位置とにバインドレス碍子１のブロック体２の長手方向に沿ってずれを生ずる。
【００３５】
これにより、先述の図４に示されるような各引込線２１がバインドレス碍子１と碍子取付金具９とから成る碍子装置にて家屋２２に支持される態様においてバインドレス碍子１を複数使用する場合でも、一方のバインドレス碍子１にはこの発明に係る碍子取付金具９を用い、他方のバインドレス碍子１には従来から存する碍子取付金具１９を用いることにより、一方のバインドレス碍子１のブロック体２の被支持体１４に近接した位置にある側面２Ｆよりも他方のバインドレス碍子１のブロック体２のうち被支持体１４から離れた位置にある側面２Ｅの方が被支持体１４に近くなるようにずれた関係に配置されるので、バインドレス碍子１が風等でブロック体２の短手方向に揺れてもバインドレス碍子１の突起部３同士が接触・衝突することがない。しかるに、バインドレス碍子１の突起部３が破損するおそれもなくなる。
【００３６】
また、この発明に係る碍子取付金具９は、上記したように捩じり絡ませ部位１２ｄを有するので、延出部位１２ａと延出部位１２ｂとの間、ひいてはフック１０と１１との間が開いてしまってフック１０、１１が被支持体１４から外れるという不具合を解消することができる。
【００３７】
この発明に係る碍子装置は、図４に示されるように、家屋２２側においてエントランスキャップ２６と引込線２１とを接続する場合にも用いることが可能であると共に、碍子装置を構成するバインドレス碍子がこれまで説明してきたバインドレス碍子１とは異なり電線１７が太線用のバインドレス碍子２９である場合でも用いることが可能である。
【００３８】
電線１７が太線用のバインドレス碍子２９自体は公知のものであるが、その構成について図７を用いて説明すると、絶縁性を有する素材、例えば磁器、セラミックス等により形成されているもので、図７に示されるように、略直方体状のブロック体３０を有して構成されている。そして、ブロック体３０の長手方向に沿って延びる側面のうち一の側面には、電線１７を巻き付けるための突起部３１が当該ブロック体３０の長手方向に沿って複数並んでいる。そして、バインドレス碍子２９は、ブロック体３０の長手方向の一方側から突出した突出部３２を有し、この突出部３２にこの発明に係る碍子取付金具９又は従来の碍子取付金具１９の湾曲部位１２ｃを挿通させるための貫通孔３３が形成されている。
【００３９】
これにより、上述したようにこの発明に係る碍子取付金具９のフック１０、１１から湾曲部位１２ｃまでの寸法が従来の碍子取付金具１９のフック１０、１１から湾曲部位１２ｃまでの寸法よりも相対的に長くなっているので、碍子取付金具９及び碍子取付金具１９の湾曲部位１２ｃをバインドレス碍子２９の貫通孔３３に挿通させた状態とした場合には、図７に示されるように、フック１０、１１からバインドレス碍子２９の貫通孔３３側の突起部３１の縁までの寸法値Ｌ２は碍子取付金具９を用いた方が長くなる。
【００４０】
よって、図４に示されるように、この碍子取付金具９のフック１０、１１を家屋２２の取付金具３５に引き掛けた場合には、家屋２２の取付金具３５からバインドレス碍子２９までの距離について、碍子取付金具１９を用いた場合よりも確保することができるので、引込線２１のうちエントランスキャップ２６からバインドレス碍子２９までの縁線３６を配置する空間が窮屈であるために、縁線３６を大きな曲率により湾曲させる必要がなくなり、縁線３６が湾曲させ難い太線であっても好適な環境とすることが可能である。
【００４１】
尚、これまで図４に示されるように、この発明に係る碍子装置について、引込線２１と引込専用腕金２０の取付金具２４との間に介在させる態様や引込線２１とエントランスキャップ２６との間に介在させる態様について説明してきたが、かかる態様に限定されるものではない。
【００４２】
図８に示されるように、電柱１６の長手方向の上側に取り付けた高圧腕金３８にこの発明に係るバインドレス碍子１を同じくこの発明に係る碍子取付金具９を使用して引き掛けると共に、電柱１６の長手方向の下側に取り付けた高圧カットアウト支持アーム３９にこの発明に係るバインドレス碍子１を同じくこの発明に係る碍子取付金具９を使用して引き掛ける態様を採っても良い。尚、符号４０で示されているのは高圧碍子、符号４１で示されているのはカットアウト、符号４２で示されているのは変圧器である。
【００４３】
最後に、バインドレス碍子１、２９に電線１７を巻き付ける方法は公知の方法と同様であるので、その詳細は省略した。
【符号の説明】
【００４４】
１  バインドレス碍子
２  ブロック体
２Ａ乃至２Ｆ  側面
３  突起部
４  窪み部
６  貫通孔
７  溝部
９  碍子取付金具
１０  フック
１１  フック
１２  線状部材
１２ａ  一方の延出部位
１２ｂ  他方の延出部位
１２ｃ  湾曲部位
１２ｄ  捩じり絡ませ部位
１４  被支持体
１７  電線
１９  従来の碍子取付金具
２０  引込専用腕金２０
２１  引込線
２４  取付金具
２６  エントランスキャップ
【図１】
2011091928.tif 000003
【図２】
2011091928.tif 000004
【図３】
2011091928.tif 000005
【図４】
2011091928.tif 000006
【図５】
2011091928.tif 000007
【図６】
2011091928.tif 000008
【図７】
2011091928.tif 000009
【図８】
2011091928.tif 000010